(57)【要約】【課題】インターネットアクセスができるデジタルカメラならびにテキストデータを挿入できる画像データを記録する記録媒体を提供する。【解決手段】カメラユニット１とキー３が互いに反対の面に配備された第一のパネルと表示パネル８が配備された第二のパネルが結合部９によって結合をされていることを特徴とする。画像データ記録媒体は書き換えて記録し直した回数を記憶でることを特徴とする。【選択図】  図１
2005130418.tif 000002
【特許請求の範囲】
【請求項１】
カメラユニットと少なくとも二つ以上のキーおよびもしくはボタンとしての機能を持つキーボードおよびもしくはパネルを含む第一のパネルと表示パネルを含む第二のパネルと該第一のパネルと該第二のパネルとを結合する結合部を備え、該第一のパネルの該キーボードおよびもしくはパネルを操作する面と該第二のパネルの該表示パネルでの画面が表示される面とは、該結合部によって該第一のパネルと該第二のパネルとを閉じた状態においては互いに隣接している、デジタルカメラ。
【請求項２】
請求項１において、前記キーボードおよびもしくはパネルは、前記第一のパネルにおいて前記カメラユニットにおける光が入射する面とは反対側の面に配備されている、デジタルカメラ。
【請求項３】
請求項１において、前記カメラユニットの部分には被写体を覗くファインダが直結していてそれらが前記第一のパネルに配備されている、デジタルカメラ。
【請求項４】
デジタルカメラで撮影をした画像に相当する画像データを含むデータを記録する記録媒体において、少なくとも該画像データを前期記録媒体の端子口からの出し入れをする信号を制御するコマンド情報も記録する、カード型記録媒体。
【請求項５】
請求項４において、前記カード型記録媒体は、少なくとも前記画像データを記録する不揮発性メモリおよび少なくとも前記画像データ以外の前記データおよびもしくは前記コマンド情報を記録する不揮発性メモリが同じシリコン基板上に一体化して形成されたマイクロコントローラから構成されている、カード型半導体記録媒体。
【請求項６】
請求項５において、デジタルカメラで撮影をした画像に相当する画像データを該カード型半導体記録媒体に一度記録をしたあとで、該画像データの持つ解像度よりも解像度を低くした画像データとして再び記録をし直した不揮発性メモリとマイクロコントローラから構成されている、カード型半導体記録媒体。
【請求項７】
請求項５において、デジタルカメラで撮影をした画像に相当する画像データを一度前記記録媒体に記録をした後で該画像データを消去して再び撮影をした画像に相当をする画像データを前記記録媒体の不揮発性メモリに記録をし直した回数およびもしくは所定の回数から記録をし直した前記回数を差し引いた回数を、前記マイクロコントローラに一体化された不揮発性メモリもしくは画像データを記録した前記不揮発性メモリの一部に記録をしている、カード型半導体記録媒体。
【請求項８】
請求項７において前記記録し直した回数は、請求項６の手順で画像データを記録し直した回数である、カード型半導体記録媒体。
【請求項９】
請求項７、請求項８において、前記回数を該カード型半導体記録媒体を装着して使用する電子機器にある表示パネルに表示するおよびもしくはプリンタでプリントするコマンド情報も記録している、カード型半導体記録媒体。
【請求項１０】
請求項５において、デジタルカメラで撮影をした画像に相当する画像データ以外の前記データは少なくとも日付けデータよりも文字が多い文章もしくは単語からなる、カード型半導体記録媒体。
【請求項１１】
請求項５において、デジタルカメラで被写体を動画で撮影をする直前、直後、およびもしくは撮影をしている間に前記動画よりも高解像度の静止画の画像に相当する画像データも同時に記録することを特徴とする、カード型半導体記録媒体。
【請求項１２】
カメラユニット並びに少なくとも個人の顔の画像データを含む個人認証データを記録した不揮発性メモリを含むカード型記録媒体を受け入れる端子口を備え、該カード型記録媒体を該端子口から記録データを読み取り、該カメラユニットで撮影をした少なくとも個人の顔の画像データと前記した該カード型記録媒体に記録されている該画像データとを照合する機能を持つことを特徴とした、デジタルカメラ。
【請求項１３】
請求項１２において、該デジタルカメラは暗証番号などを入力するキーおよびもしくはボタンを備えており、該キーおよびもしくはボタンを押して該カード型記録媒体の保有者が本人の少なくとも暗証番号を入力して該カード型記録媒体に記録されている暗証番号に関わるデータとを照合することも併せ持つ、デジタルカメラ。
【請求項１４】
カメラユニットと少なくとも二つ以上のキーおよびもしくはボタン、表示パネル、並びに通信アクセスポイントへ有線およびもしくは無線で直接アクセスできる送受信部品を配備した、デジタルカメラ。
【請求項１５】
請求項１４において、前記通信アクセスポイントを通じて撮影をした画像に相当する画像データを含むデータをインターネットおよびもしくは携帯電話回線で送信する際に、送り先のアドレス先に関わる情報およびもしくは前記データの少なくとも表示仕様に関わる情報は、予めそれら情報を記録してあるカード型半導体記録媒体からインストールをすることを特徴とする、デジタルカメラ。
【請求項１６】
請求項１４、請求項１５において、請求項１もしくは請求項２もしくは請求項３の構造を有する、デジタルカメラ。
【発明の詳細な説明】
【発明の詳細な説明】
【技術分野】
【０００１】  本発明は、レンズを介して撮影をした画像を固体撮像素子（ＣＭＯＳセンサー、ＣＣＤ）で光電変換を行い電気に変換された撮影画像に相当する画像データを記録媒体に記録したり、該画像データを編集したり信号処理をする、デジタルカメラ並びに少なくとも画像データを記録した記録媒体に関する。
【背景技術】
【０００２】  デジタルカメラは、撮影したその場でカメラ本体の表示手段に画像を再生できることや、画像データをパソコンなどに取り込めば、撮影者が自ら画像のサイズ、精細度などの画像フォーマットの仕様の指定およびもしくは撮影した画像の加工や編集を行えることなどから、その利用が急速に高まっている。【０００３】  高速で情報を転送できるブロードバンドのインターネットの急速な普及によって、デジタルカメラで撮影した画像データをパソコン本体に取り込んだ上で高速な通信回線（たとえば、ＡＤＳＬ回線）に有線およびもしくは無線（ワイヤレスＬＡＮや携帯電話）でパソコンを使用者個人が持つＭＯＤＥＭを内臓している構成されている通信アクセスポイントにアクセスをして送り先のアドレスを指定すれば、容易に画像データなどを送り先に転送できることが可能になってきた。【０００４】  更に、最近では旅先のホテルなどに「ホットスポット」と称する、ワイヤレスＬＡＮの通信アクセスポイントであるインターネットのサイトが出来始めておりパソコンを持ち運べば、たとえばホテルから自分の家や知人などにもメッセージや画像を含むデータの情報を容易に送れるので、デジタルカメラとパソコンを一緒に持ち運びさえすれば、デジタルカメラで撮影した画像データを含むデータ（画像データにテキストデータを重畳させたデータ）並びにそのデータに付随するメッセージ（テキスト（文字）で通常記述されている）をパソコンを介して転送出来るようになってきた。【０００５】  一方、従来の光学カメラでは受光する銀塩フイルムの大きさが３５ｍｍであるのに対して、デジタルカメラではフイルムに一部の機能が対応する固体撮像素子（ＣＣＤやＣＭＯＳセンサーなど）のサイズがたとえば５ｍｍと小さく出来るために、光学系（すなわち、レンズの口径や光路長（焦点距離など）を小さくできるのでデジタルカメラを小型で薄くできるようになってきた。【０００６】  デジタルカメラで撮影された画像データを記録する記録媒体としては、半導体（ＩＣ，ＬＳＩ）の不揮発性メモリと同じ半導体であるマイクロコントローラをたとえばそれらのチップを積層してモジュール状に一体化したカード型記録媒体（所謂、ＩＣカード）が用いられる事が多い。今までのところでは、デジタルカメラ（含むカメラ付きの携帯電話）において用いられる該ＩＣカードは基本的には単なる画像データの記録媒体として利用をされてきた。【０００７】  即ち、通例デジタルカメラの筺体の一側面にはＩＣカードを着脱できるスロットが配備されており、そのスロットにＩＣカードを着脱することでデジタルカメラで撮影した画像データを、パソコンに容易に転送が可能である。更に該ＩＣカードに記録された該画像データを外部機器、たとえばテレビ、ＤＶＤレコーダ、特殊なプリンタのような機器にも直接転送することが出来る。【０００８】  デジタルカメラそれ自体においても撮影する際の写真における少なくとも解像度の指定をする機能は持っており、デジタルカメラに付いている、たとえばメニューボタンを押してそこでＩＣカードに記録をする際の解像度の設定を行っている。
一方、１枚のＩＣカードが持つ記録容量には一定の限度があるので、当然ではあるが、高解像度（高精細度）で写真を撮影する設定をすると、１枚のＩＣカードで撮影が出来る写真の枚数は少なくなり、解像度を落とせば撮影できる写真の枚数が増える関係がある。従って、通例はデジタルカメラの使用者自身の判断で写真の解像度の設定を行って１枚のＩＣカードで撮影が出来る写真の枚数を決めている。【０００９】  即ち、デジタルカメラを持って旅行をする時のライフスタイルとしては、旅行をする前に旅行中に撮影をする写真の枚数と解像度（精細度）を想定しておいて、それらの写真の解像度（精細度）から１枚のＩＣカードに記録できる写真の枚数を計算してその結果定まる所定の枚数のＩＣカードを持参している。【００１０】  なお、デジタルカメラ自体にも画像データを記録する不揮発性メモリが内臓されている。通例のデジタルカメラにおいては上記デジタルカメラ自体に内臓された不揮発性メモリの容量としては、高解像度（高精細）の写真を数枚記録できる程度である。【００１１】  デジタルカメラで撮影した画像データには専用のボタンを押すことで、撮影した日の日付けについてはその画像データに重畳させることは可能である。
しかしながら、通例のデジタルカメラそれ自体では撮影した画像にはそれ以外のたとえばタイトルや文章などのテキストを挿入すること、およびもしくは撮影した画像データや上記したようにテキストデータも重畳をした編集データをインターネットを介して他の場所にあるパソコンに直接は転送できなかった。
また、デジタルカメラで撮影した画像データをプリンタでプリントをする為には、上記したようなデジタルカメラに着脱できるＩＣカードを介して使用者などの個人が自分のパソコンに画像データを転送した後でパソコンに接続されているプリンタで写真にプリントするか、特殊な機能を持つプリンタに該ＩＣカードを装着してそのプリンタで詳細な条件は設定してプリントするか、もしくは該ＩＣカードをデジタルカメラの使用者がＤＰＥに持ち込み写真のプリントを注文をする条件をＤＰＥに伝える方法が通例行われている。【００１２】  したがって、デジタルカメラそれ自体にはプリンタでプリントする詳細な条件を設定する機能は従来は持ち合わせていなかった。
即ち、たとえば、ＤＰＥが注文などを受け付ける際の情報をインターネットを経由してデジタルカメラそれ自体にダウンロードしたり、逆にデジタルカメラで撮影した画像データ並びにそれをプリントする条件などの指定をインターネットを経由してＤＰＥに送信することについては行われていなかった。【００１３】  この理由はデジタルカメラには限られた数のボタンやスイッチしか配備できないために、たとえばアルファベット（２６文字）文字と数字（１０文字）をベースとしてそれらに機能（ファンクション）キーを用いてテキスト（ローマ字などで記入をしてその後かな文字に変換したタイトルや文章を含む）データを撮影した画像データの近傍に挿入したり、画像データ自体の上に重畳させる目的で挿入しようとする場合には、ボタンまたはキーを何回も連続で押して所望の文字を選択したり、漢字等へ変換する操作には手間と時間がかかるために操作が非常に複雑なためであった。勿論、インターネットを使用する時に不可欠なインターネットのアドレス先や送受信する際のメッセージを記入することも大変煩雑になるためであった。【００１４】  デジタルカメラやＩＣカードを用いる他の分野の用途としてははたとえばオフイスなどへ出入をする際の個人認証をするためにも用いられてきた。すなわち、オフイスに入ろうとする人の個人認証に際しては、通例、本人の顔を撮影した写真も載せたＩＣカードが用いられているが、たとえば本人がオフィスへの立ち入ることが出来る人か否かはオフイスのドアに付いた個人認証装置のカードスロットに前記ＩＣカードを装着してその中に記載されている個人認証番号を前記装置に記録してある番号と照合をするか、前記ＩＣカードに載せてある本人の顔写真と本人自身をオフイスの受付け係が比較をして照合をしている。セキュリテーの確保が厳重に必要な特殊な用途において個人認証をする時には上記二つの方法での照合を個別の個人認証装置を用いて行っている。【００１５】  以下には、主に、画像データとテキストデータの編集作業でのデジタルカメラでの従来技術の課題を記述するが、この課題はインターネット接続や他の電子機器との接続などに対しても基本的には同じである。【００１６】  従来のデジタルカメラではテキストデータの入力手段が煩雑になる課題と同時に、小さなデジタルカメラの表示画面を見ながらの作業は微妙な操作が必要であり、テキストの配置の設定などでは精度に欠けるという課題もあった。
そのため、テキストを挿入するような編集作業では、わざわざ別途にパソコンを用意して専用のソフトウエアを用いて行うことが殆どであった。【００１７】  即ち、パソコンを用いてテキストの挿入などの編集作業を行う場合には、デジタルカメラをパソコンに接続したり、あるいは画像ファイルを記録した記録媒体をパソコンにセットしたりして、画像データをパソコン側に転送してから、編集作業を行う。そのために、手元に適当なパソコンがないか、あっても所要の画像処理ソフトファイルがインストールされていない場合には、テキストの挿入作業を行うことは不可能で、しかも、パソコンの操作に不慣れな使用者には困難が伴うという課題があった。
撮影した画像をパソコンの介在なしでテキストをその画像に対して挿入する従来技術として文献を調査した結果、下記の従来技術があることが分かった（１）。【００１８】この技術は、特殊な機能を持つデジタルカメラを用いて撮影した画像データをテレビに表示する一方でテキストを入力するための特殊な回路ブロックなどを該デジタルカメラに配備して、該デジタルカメラの表示素子部に文字列を時計の数字のように円周に沿って表示させて所望の文字（例えばひらかなの一文字）を選択して入力させることと、その入力した文字を画像データの所望の場所に配備するためなどには該デジタルカメラの筺体を動かしてその動きや傾きを検出する位置検出手段も該デジタルカメラに配備して、それらの信号を画像データと合わせて外部に別途用意されたテレビ上で編集作業を行う、ものである。【００１９】
【特許文献】特開２００３−６０９６３公報（要約）
【００２０】
【発明の開示】
【発明が解決しようとする課題】
【００２１】  上記した従来技術には次に記述するような課題があった。【００２２】デジタルカメラには写真に相当する画像を撮影したその場で記録に残したいか否かその場で使用者の判断で決めることの利便性はあるが、記録媒体のＩＣカードの値段が従来の銀塩フイルムに比べて非常に高価である、課題があった。【００２３】  従来のデジタルカメラはボタン、スイッチの数が制限した数しかなくてアルファベット（２６文字）およびもしくは数字（１０文字）並びに操作の指示する機能（ファンクション）からなるキーが配備されていないこと、およびデジタルカメラに配備されている表示画面が小さいために、デジタルカメラで撮影した画像データにタイトルなどのテキストを合わせて編集できないこととインターネット接続ができない、課題があった。【００２４】  従来のデジタルカメラにおける主要な記録媒体である、ＩＣカードにおいてはそのＩＣカードに不揮発性メモリと一緒に搭載されているマイクロコントローラの機能を充分に活用していない、課題があった。すなわち、従来のＩＣカードはたとえばデジタルカメラからパソコンおよびもしくはテレビなどの外部機器へは基本的には機器間を一方向で画像データを単に転送する記録媒体として使用されてきたに過ぎない。更に、ＩＣカードが半導体で構成されているので無制限にデータを書き換えしても良い、との通念があった。実際には、
上記したＩＣカードに搭載されている不揮発性メモリにはこのメモリにデータを書き込んだ後でそのデータを消去して新しいデータを書き込むことを繰り返すと不揮発メモリの動作範囲が狭められてしまいには書き込みが不可能な状態に陥るために該ＩＣカードの信頼性を保証するために不揮発メモリを生産する段階でこのメモリを過度な生産工程で生産をしたり、過度なテスト（検査）で良品、不良品のふるいわけをすることなどのために、原価（コスト）が高くなってしまう、課題があった。
前記したように、マイクロコントローラが持つ本来の機能が評価をされていない結果として、基本的にはＩＣカードの価格は単に不揮発メモリの部分だけの価格だけで決まっている、課題があった。【００２５】  一方、デジタルカメラで写真を撮影してその画像データやその画像データをたとえば絵葉書のように編集加工してプリントをする時に自分のパソコンを介在させないで行う場合においては、外部のプリントメーカ（ＤＰＥ）に注文をしたい人（デジタルカメラの使用者など）とプリントメーカ（ＤＰＥ）との間でのインターフェースが従来の光学カメラで写した銀塩フイルムでの受け渡しに比べて非常に複雑になる、課題があった。【００２６】  また、上記した個人認証を必要とする応用においては、従来は本人の顔の画像は画像データとして電子化されていないのが通例であり、個人認証を必要とする時には、ＩＣカードでの暗証番号での照合、もしくはたとえばオフイスの受付係が本人を顔を前記ＩＣカードに載っている本人の顔と照合をしているために、認証のレベルが低いことや人手を必要とする、課題があった。又、特殊な用途では上記二つの照合方法で行われているが、この場合には照合に際して非常に高度で高価な照合装置を夫々の照合の段階で用いなければならなかったし、照合のステップも２段階になって時間などがかかってしまう、課題があった。【００２７】  したがって、これらの課題を解決するデジタルカメラ並びにそれに搭載される記録媒体が望まれていた。本願の目的は、かかる従来技術が抱える課題を解決する新しい機能を持つデジタルカメラを、提供することである。
本願の他の目的は、デジタルカメラそれ自体に用いる際にも新しい機能を付加したり、パソコン、テレビのような外部の電子機器間で画像データを含む記録情報を転送する時に編集したり加工ができて、従来なかった利便性を使用者にもたらす新しい機能を持つ記録媒体としてのＩＣカードを、提供することである。
【課題を解決するための手段】  本願で開示される発明のうち、代表的なものの概要を簡単に説明すれば次のとおりである。【００２８】  本発明では、上記したように旅行でデジタルカメラを用いて写真を撮影した時に１枚のＩＣカードでは収まらない枚数の高解像度（高精細）の写真画像に相当する画像データを撮影できるデジタルカメラとそれに用いるＩＣカードの具体的な手段を、提供することである。【００２９】  本発明では、限られたサイズのデジタルカメラにおいて、テキストデータなどを作成するために従来のデジタルカメラのボタンやスイッチよりもはるかに多い数のキー（ボタンおよびもしくはスイッチを含む）を配備できてしかもカメラで撮影した画像を再生するための表示素子も従来のデジタルカメラの表示素子よりもはるかに大きいサイズを実現できる新しい構造を持つデジタルカメラを、提供することである。【００３０】  また、本発明では、デジタルカメラそれ自体でデジタルカメラで撮影した画像データにそれ以外のたとえばタイトルや文章などのテキストを挿入することが出来るデジタルカメラを、提供することである。【００３１】  また、本発明では、デジタルカメラそれ自体にインターネットで送り先のアドレスに関わる情報およびもしくは少なくとも撮影した写真に相当する画像の画像データに関わる情報をインターネット経由でダウンロードしなくてもインターネット経由でデジタルカメラからインターネットで指定したアドレス先へ少なくとも撮影した写真に相当する画像の画像データを送信できるデジタルカメラを、提供することである。【００３２】  また、本発明では、デジタルカメラで撮影した画像に対応する画像データなどをパソコンやテレビなどの外部機器へ転送する際，およびもしくはこれらの電子機器間を画像データを含む記録データを転送する時に画像データを含む記録データを加工したり編集などを行うなどの従来になかった新しい機能を実現したりするために、ＩＣカード内に不揮発メモリと一緒に搭載されているマイクロコントローラのチップ自体に集積された、書き換え消去が可能な不揮発性メモリを持ち、そのメモリに画像やテキストなどのデータ、該ＩＣカードを挿着した電子機器の作動条件を部分的に変更するプログラム情報を記録しているＩＣカードを、提供することである。【００３３】  また、本発明では、該デジタルカメラに該ＩＣカードを装着して、該ＩＣカードに装着前に記録されていた個人認証用のテキストデータと該デジタルカメラでのテキスト入力、編集などの機能を用いて照合を行うのと並行して該ＩＣカードに装着前に記録されていた個人の顔などの個人認証用の画像データと該デジタルカメラで撮影して得られた画像データとの照合を行う手段を提供することである。【００３４】  また、本発明では、デジタルカメラで撮影をした画像に相当する画像データをインターネットで送信をする際に、送信に関わるソフトウエアの情報を記録した前記ＩＣカードとは異なるカード型の記録媒体をデジタルカメラに装着をして、前記ソフトウエアを通信回線を通じてダウンロードをしなくても、送信先に送信できる手段を提供することである。
【発明の効果】
【００３５】  本発明によれば、旅行で通例のＩＣカードでは１枚のＩＣカードで収まらない高精細（高解像度）の写真を撮影しても実質的には１枚のＩＣカードで実現できる。【００３６】  本発明によれば、デジタルカメラそれ自体でも該デジタルカメラで撮影した画像データにタイトルや文章などのテキストデータを挿入出来る。【００３７】  また、本発明によれば、デジタルカメラから外部の電子機器に撮影をした画像に相当する画像データを含むデータを転送する時に、もともとＩＣカードに含まれていたものとは異なる画像データを含むデータとを上記した電子機器を用いて表示、記録、プリントすることができる。【００３８】  また、本発明によれば、個人認証を容易で迅速でしかも確認の確度を高めることができる。【００３９】  また、本発明によれば、経済的でしかも低消費電力でインターネット経由で撮影した画像に相当する画像データをインターネット経由でデジタルカメラから直接送信先に簡単な操作で送ることが出来る。
【発明を実施するため最良の形態】
【００４０】  以下、本発明の実施の形態を、図面に基づいて詳細に説明する。なお、実施の形態を説明するための全図において同一機能を有するものは同一の符号を付し、その繰り返しの説明は省略する。
【００４１】  図１、図２、図３は本発明の第一の実施の形態に関わるデジタルカメラを示す斜視図である。図１はたとえば、該デジタルカメラの保有者自身も加はっての記念写真を撮るために遠隔操作で該デジタルカメラのシャッターを操作するために該デジタルカメラを縦に机などの上においた時の斜視図である。また、図２は該デジタルカメラで撮影した画像データにタイトルや文章などのテキストデータを挿入したり、通信アクセスポイントと該デジタルカメラをたとえば無線で接続してインターネット経由で指定したアドレス先に該画像データなどを転送するためにアドレス先などを入力する際の該デジタルカメラの斜視図である。図３は該デジタルカメラのレンズ側とは反対側の面などを示す斜視図である。
【００４２】  図１、図２、図３において２は第一のパネルであり、該パネルには少なくともカメラユニット１が配備される。図１，２，３において７は第二のパネルであり、該パネルには少なくとも表示パネル８が配備される。図１、２，３において第一のパネル２と第二のパネル７とはリンク機構９によって結合されている。図１，２において３はアルファベット文字およびもしくは数字文字およびもしくは機能キーの一部であり、３Ａは表示パネル８において画面内で所定の位置を指定をしたり動くポインタを移動をさせるジョグステック、３Ｂは決定キー、３Ｃは特定のインターネットアドレス先を登録させておいて１回のキー操作で上記特定のアドレスを指定できるキーである。これらのキー３他は第一のパネルにおいてカメラユニット１の面（光が入射する面）とは反対側の面に配備されているので、斜視図上で実際に見えるのは図２の場合だけであり、図１においてはただ概念としてのみ示されている。
【００４３】  図１，３において４はシャッター（動画撮影の時には撮影ボタンでも良い）、５、５ＡはＩＣカード１０、１０Ｘを挿入するスロット、６はＵＳＢコネクターなどのコネクターを接続する端子であり、これらは第一のパネル２に配備される。
１１はファインダであり、この実施形態では第二のパネル７において、第一のパネル２におけるカメラユニット１に対向する位置に、配備される。１１Ａは上記カメラユニット１とファインダ１１を光が通るために第一のパネル２においてキーが配備された面に配備された窓である。８Ｂは第二のパネル７においてファインダ１１と同じ面に配備された表示パネルである。１２は表示パネル８Ｂに色々のメニューを表示するボタンである。
【００４４】  図１，２，３においてはこれらの他に図示はしていないが電源のオンオフをするスイッチ、自動焦点調節ボタン、夜景などの時に使用するフラッシュなどデジタルカメラとして当然具備すべき部品も該デジタルカメラには配備されている。図１においてカメラユニット１は図示はしていないが、実際には第一のパネル２の面近くにあって、光が最初に入射するレンズ（対物レンズ）をはじめとする複数枚のレンズ、入射した光の一部の光路を９０度に屈折させると同時に残りの光をファインダ１１へ導くプリズム、レンズで結像した被写体の像の光の濃淡や色の情報を電気信号に変換する固体撮像素子（ＣＭＯＳセンサー）が第一のパネル２の中に収納されている。
【００４５】  また、これらの図には図示はしていないが、電池（バッテリー）や上記固体撮像素子で光電気変換された電気信号を増幅するアンプ、その増幅された電気信号をアナログ信号からデジタル信号に変換するＡＤ変換ＬＳＩ，撮影した画像データを圧縮する画像圧縮ＬＳＩ，マイクロプロセッサ、メモリなどの半導体部品並びに撮影した画像データを記録して保存をする半導体部品などを搭載したプリント基板もしくはモジュール基板が主に第一のパネル２内部に収納されている。
更に、これらの図には図示はしていないが通信アクセスポイントと有線および無線でつなぐための送受信部品も収納されている。
【００４６】  該デジタルカメラを通常のデジタルカメラとして外景の被写体を撮影する時には図３の形でシャッター４を該デジタルカメラの上側面に来るようにして使用者は該デジタルカメラを図３において両横側面を通例は両手で持ってファインダ１１を覗いて被写体を写す範囲を確認してシャッタ４に近い右横側面を持っている方の手の中の人差し指などでシャッタ４を押して撮影をする。写した画像の確認は表示パネル８Ｂで行う。
【００４７】  該デジタルカメラを用いて内景すなわち使用者自身の顔などを撮影する時には図３のように該デジタルカメラを横長の形のままで図３を１８０度回転した状態で撮影をする。また、上記したように、該デジタルカメラの使用者自身も加はっての記念写真を撮るために遠隔操作で該デジタルカメラのシャッターを操作する時には、図３のように第二のパネル７を閉じたままで該デジタルカメラを横長にしたままで該デジタルカメラをたとえば机の上に置いてファインダ１１で被写体の位置を確認した後で撮影しても良いし、図１に示すように該デジタルカメラを縦長の形として第二のパネル７を少し開いて机などの上において撮影しても良い。本発明の特長の一つは、図１のように縦長の形でも該デジタルカメラを安定に置くことができること、である。この時の撮影の手順としては、まず、該デジタルカメラの使用者が第二のパネル７を閉じた状態（図３で該デジタルカメラを時計の針の動きと逆方向に９０度回転させた状態）で該デジタルカメラをたとえば机などの上に置いてファインダ１１で被写体の位置を確認した後で第二のパネル７を少し開いてから使用者も他に撮影される人々などに加わった後で遠隔操作でシャッタ４を作動させて撮影をする。
【００４８】  該デジタルカメラで撮影した画像データにタイトルや文章などのテキストデータを挿入したり、通信端末装置と該デジタルカメラをたとえば無線で接続してインターネット経由で指定したアドレス先に該画像データなどを送信する為にアドレス先などを入力する際には図２に示すように、該デジタルカメラにおいて第二のパネル７を回転リンク９を回転させて第一のパネル２から開いた状態つまり通例のパソコンを操作する時と同じ形態で該デジタルカメラを使用する。
【００４９】  この形態では第一のパネル２において３、すなわちアルファベット文字およびもしくは数字文字およびもしくは機能キーおよびもしくはこれらの文字を表示パネル８の画面内で指定したり動かすことが出来るジョグステック３Ａを使用者が第二のパネル７に配備された表示パネル８を見ながら操作をする。たとえば、撮影した画像に相当する画像データにタイトルや文章のテキストデータを書き加える編修、加工の処理を施したり、画像データおよびもしくは画像データに上記した処理を施したデータを上記通信アクセスポイントと該デジタルカメラをたとえば無線で接続してインターネット経由で送信する際のアドレス先の入力に用いられる。更に、インターネットで送られて来る情報を閲覧したりダウンロードする際に閲覧したい情報のＵＲＬを入力したり、ダウンロードのコマンドなどを指示する目的にも利用される。なお、上記したように操作を簡単にするために、特定アドレス先のアドレス先を予め該デジタルカメラに登録をしておいて、そこへ画像データや編集などの処理を施したデータなどを転送する際には図２に示す特定のキー３Ｃを押すことでキー操作を簡単にしている。
【００５０】  更に、後述をするように該デジタルカメラのＩＣカードスロット５に装着をされているＩＣカード１０に対して、撮影した画像データを記録した後で上記したようなテキストデータを挿入したり、該ＩＣカードを該デジタルカメラから抜き出して、テレビ他の外部機器で撮影した画像データを再生する場合にテキストデータをテレビ画面においても挿入してそのままで再生して表示するだけではなくて、テキストデータなどをテレビに映し出された画像の周辺でテロップにの形で流すモードの指定もすることができる。このモードによれば、たとえばテレビ画面においてテキストに割り当てられた１行だけであってもテキスト情報を動かすことによってたとえば撮影した画像データの説明などに充分なテキスト情報を撮影した画像データを観る人に伝えることが可能となる。
【００５１】  図１，２，３においてはカメラユニット１は第一のパネルの周辺に配備された実施形態を示したが、カメラユニット１を第一のパネルのほぼ中央部に配備することも可能である。この場合には、図示はしていないが、通例デジタルカメラとして被写体を撮影する時には、電動モータによってカメラユニット１の一部であるレンズの鏡筒が使用する時には第一のパネルから伸び出してたとえば遠くにある被写体を撮影するサイズを光学的に拡大（光学ズーム）して撮影をするためにカメラユニット１の鏡筒を該デジタルカメラを上記電動モータで適当な位置まで動かす形態となる。
【００５２】  この場合には、被写体を撮影する画面の設定には図２，３で示した位置に対応する図１でのほぼカメラユニット１が配備された場所にファインダ用の窓を設けて行うか、図３に示す第二のパネルの表示パネル１２を用いて行う。
【００５３】  図１において、図示はしていないが第一のパネル２において、その四隅に薄いクッションがついている。これらは該デジタルカメラで撮影した画像データなどをインターネットアクセスなどで使用する図２の態様で該デジタルカメラを置く机などと該デジタルカメラとの間の緩衝部材などの役割を果たす。したがって、該デジタルカメラを図２の態様で使用する時において、該デジタルカメラのカメラユニット１と該デジタルカメラを置く机などとは直接接触することはない。
【００５４】  該デジタルカメラの大きさは、第一のパネル２が横幅：１８ｃｍ、奥行き：８ｃｍ、厚さ２ｃｍであり、第一のパネル７が横幅：１８ｃｍ、奥行き：８ｃｍ、厚さ：０．６ｃｍである。
【００５５】  図４は本発明の第二の実施の形態に関わるデジタルカメラを示す斜視図である。図４は被写体を撮影する時の該デジタルカメラの裏面を中心に示す斜視図であり第一の実施の形態における図３に相当する一つの態様を示す図である。すなわち、ファインダ１１を使用者が覗いて被写体の位置を確認をした後でシャッタ４を押す。撮影した画像は第二のパネル７に配備された表示パネル８に画像を再生して確認をする。図４に示すように、第二のパネル７はリンク９を回動させて第一のパネル２からほぼ１８０度開いた態様である。
本実施の形態では、第一の実施の形態に比べて表示パネルが１枚で済むのでパネル７を薄く出来る特長がある。
【００５６】  なお、被写体を撮影するまでの間は、第二のパネル７における表示パネル８の面と第一のパネル２におけるキー３などが配備された面とをほぼ隣接するように、つまり第一の実施の形態での図３と同様な態様として該デジタルカメラを操作して撮影して、撮影した画像の確認の時にだけ図４のように第二のパネル７を開いて表示パネル８に上記撮影した画像を再生しても良い。
【００５７】  該デジタルカメラの大きさは、第一のパネル２が横幅：１２ｃｍ、奥行き：８ｃｍ、厚さ２ｃｍ（ファインダ１１が配備された突起部を除く）であり、第一のパネル７が横幅：１０ｃｍ、奥行き：８ｃｍ、厚さ：０．５ｃｍである。
【００５８】  この第二の実施形態では、第一の実施形態での第二のパネル７のサイズを小さく出来て且つ表示パネルが１枚で済むのでパネル７を薄く出来るので該デジタルカメラの重量が軽くできて且つコストも低減できる。
【００５９】  勿論、必要に応じて、第二のパネル７において表示パネル８が配備された面の反対側の面に第一の実施形態で示した表示パネル１２を取り付けても良い。
【００６０】  以上、第一、第二の実施形態においてキー３他は通常の凹凸のあるキーを例として説明をしたがこれらは、例えばタッチパネル上に設けられた仮想的なキーであっても良い。更に、第一、第二の実施形態においてキー３などはアルファベット文字、数字文字並びに機能キーの一部として説明をしたがこれらのキーの一部は省略をされていたり、或いは一つキーで幾つかの文字もしくは機能を兼ね合わせたものであっても良い。
【００６１】  次に、本発明の第三の実施の形態に関わるデジタルカメラの記録媒体であるＩＣカードについて説明をする。この第三の実施の形態は本発明におけるＩＣカードがデジタルカメラで撮影された画像に相当する画像データと文章などのテキストデータとが重畳された両方のデータの記録を含むと共にそれらを外部機器で再生する際に外部機器の操作を指示するコマンドの記録も含んでいることに特徴がある。
【００６２】  図５は本発明におけるＩＣカード１０−１の概要を示す回路ブロックの構成図であり、図６は該ＩＣカード１０−１を実際に応用をした時におけるデジタルカメラ１３並びにテレビなどの外部機器ならびに通信端末のアクセスポイントと該ＩＣカード１０−１との関係を示すと同時にデジタルカメラ１３で撮影をしてそれを再生して表示した画像の表示例並びにこれらの外部機器の中で主な機器においてそれらの表示部での画像を含む表示例もしくは写真としてプリントをしたプリント紙上での画像を含む表示例を示す。
【００６３】  図５において、１０ＡはマイクロコントローラＬＳＩチップ、１０Ｂは不揮発性メモリＬＳＩチップ、１０Ｃは該ＩＣカードの入出力部、１０Ｄは１０Ａ内のＣＰＵブロック，１０ＥはＲＯＭ／ＲＡＭブロック、１０Ｆはロジックブロック、１０Ｇは本発明での機能を実現するために追加されたロジックブロックで主に画像データにテキストデータを重畳させたり上下に並べるそのテキストデータをテレビで再生をする際にはテロップの形で、１０Ｈは本発明での機能を実現するために追加された不揮発性メモリブロック、を示す。
即ち、従来のマイクロコントローラは１０Ｄ、１０Ｅ，１０Ｆの３つのブロックで構成されているが、本発明ではこれらに更に１０Ｇ，１０Ｈが追加されている。
【００６４】図６において、１３はデジタルカメラ、１４はテレビ、２０Ａはデジタルカメラ１３のインターネット通信アクセスポイント、２０Ｂは画像データなどを送信した先のインターネット通信アクセスポイント、１７は２０Ｂに接続をされたパソコン、１８はパソコンに接続されたプリンタ、である。
１９は従来の光学カメラのフイルムの現像や焼付けを業務とするお店（ＤＰＥ）である。即ち、１９においてはそのお店の中に専用のパソコンやプリンタを保有している。同図において１０−１Ａは該デジタルカメラで編集をした撮影した画像に相当する画像データにテキストデータを重畳させる際にテレビでテロップの方法で再生できるデータとテレビを制御する信号データを含む該ＩＣカード、１０−１Ｂはそのテキストデータ（タイトル、文章）を画像データ（写真）の下部にＤＰＥ個人のパソコンもしくはＤＰＥでプリントをすると絵葉書のようにプリントできるデータを含む該ＩＣカードを示す。
２１Ａはデジタルカメラ１３で撮影した画像に相当する画像データ（写真）、２１Ｂはテレビで１０−１Ａの記録内容を再生した表示例、２１Ｃは１０−１ＢをＤＰＥ１９もしくはパソコ１７に接続されたプリンタでプリントをしたプリント用紙上での表示例を示す。
【００６５】  以下に具体的に該ＩＣカード１０−１から１０−１Ａ，１０−１Ｂを作成する方法を図２、図３、図６、図７を用いて説明する。まず、図３において該ＩＣカード１０−１を該デジタルカメラ１３のＩＣカードスロット５に装着をする。次に１３を用いて撮影したい被写体を１３で撮影をする。
その撮影をした写真の画像データはまず１３に内臓された不揮発性メモリ部に記録をされる。続いて、図２の形態にして上記写真の画像データを８に再生をすると同時に該デジタルカメラ１３に配備されたキー３他を操作してその写真に関連するテキストデータを作成をする。画像データとテキストデータの配置や１０−１Ａ、１０−１Ｂを作成するコマンドもキー３他を操作して作成をする。
【００６６】  上記コマンドの一部を該ＩＣカード１０−１Ａ内にある１０Ｄ，１０Ｆ、１０Ｇなどが解読をして上記画像データは１０Ｂへ記録する一方でテキストデータを１０Ｈに記録する。同時にテレビ１４やプリンタ１８でこれらの画像データとテキストデータを重畳をして再生する時にこれらの機器の操作をするコマンド自体も１０−１Ａ、１０−１Ｂのシーケンス情報も１０Ｈに記録する。
【００６７】  １０−１Ａをテレビ１４に接続されたカードリーダで読み取るとテキストデータはテロップの形で２１Ｂに示すようにテレビ１４に再生される。１０−１ＢをＤＰＥなどが保有するパソコンなどで読み取るとプリント用紙の上に２１Ｃに示すような絵葉書のようにプリントできる。
【００６８】  次に、本発明の第四の実施の形態に関わるデジタルカメラの記録媒体であるＩＣカードについて図２、図５並びに図７を用いて説明をする。この実施形態はＩＣカードが一度は高解像度の写真に相当をする画像データを記録した後でその同じ写真の画像に相当をする画像のデータを低解像度にして再び該ＩＣカードに記録し直して保存をするのが特徴である。
【００６９】  図５においてＩＣカード１０−１の回路ブロックでの１０Ｇ並びに１０Ｈの細かい回路構成は第三の実施形態と変ってくるが本実施形態の説明としてはそれらは本質的な部分ではないので同じ図面で説明をする。図７は本発明における該ＩＣカードに該デジタルカメラなどで写真に相当をする画像データなどを書き換えて記録したり、該デジタルカメラ１３で該ＩＣカードの情報などを表示パネル８に表示をする際のフローチャートを示す。
【００７０】まず、ステップＳ７０１で本発明のＩＣカード１０−１を該デジタルカメラ１３のカードスロット５に装着をする。ステップＳ７０２で１３で撮影をした画像に相当をする高解像度の画像データを１３に内臓された不揮発性メモリに記録をする。
【００７１】  ステップＳ７０３で１３の表示パネル８に撮影をした写真の画像データを再生して表示をする。同時にその表示の際に画面の端に、高解像度で撮影できる写真があと何枚撮影できるか並びに後記するように該ＩＣカード１０−１をあと何回使用できるかなどの情報を表示をする、
【００７２】  ステップＳ７０４で記録に残したい写真の画像データを該ＩＣカード１０−１に転送をする。以下同様な操作を繰り返す。
ステップＳ７０８で該デジタルカメラ１３の使用者が１０−１などに記録されている高解像度の写真に相当をする画像データが適当な写真の枚数に相当をするデータ量になった時点でそれらの画像データをインターネットで所定の送り先に該デジタルカメラ１３を用いて送信をする。ステップＳ７０９，Ｓ７１０、Ｓ７１１で使用者が送信をしたそのままの高解像度の画像データを該ＩＣカード１０−１に残すか、低解像度（小さい表示画面ではほぼ十分な画質）に上記の画像データを大幅に圧縮（例えば、縦、横の解像度をそれぞれ１／１０として１／１００のデータ量に圧縮）をして残すか、高解像度の写真の画像データは送ってあるので１０−１から消去をしてしまうか、を決定をする。
【００７３】  ステップＳ７１２、Ｓ７１３で撮影した画像に相当をする画像データを大幅に圧縮をして低解像度の画像データで１０−１に再び記録をする時にはその画像データを図５の１０−１における不揮発性メモリチップ１０Ｂに記録をし直すと同時にマイクロコントローラチップ１０Ａ内のＣＰＵ１０Ｄとの従来のＩＣカードに追加をされたカウンタを含む回路ブロック１０Ｇと一緒に作動をして高解像度の画像データと同じ画像に対応する低解像度に変換をされた画像データへの変換回数をカウントしてその回数、並びに画像圧縮をして記録し直した画像データの量などを計算をしてその結果を１０Ｈに記録をする。
【００７４】  このマイクロコントローラ１０Ａの記録部１０Ｈの内容をステップＳ７０３に戻って撮影をした写真に相当をする画像データを表示パネル８他に表示する際に一緒に表示をする。以下、同様なステップを繰り返す。上記した高解像度の写真の画像データを低解像度の画像データに書き直した回数が所定の回数（Ｘ）に達した時点でステップＳ７１４、Ｓ７１５において１０−１Ａの作動を中止をして、該デジタルカメラ１３の表示パネル８などに「１０−１Ａを交換をして下さい」などと表示をする。
【００７５】  この第四の実施形態における効果としては、インターネットとの併用によって、高精細度の写真データを所定のアドレス先に送信を出来ると同時にたとえば１枚のＩＣカードだけを用いても送った画像データの概要は該ＩＣカードに記録として残したままで、実質的にはほぼ複数枚のＩＣカードを持つ効果があると同時に該ＩＣカード１０−１を生産する段階においてその信頼性を保証をすための過剰な生産工程や検査工程を省略できるので該ＩＣカード１０−１の原価を低減できてかつ該ＩＣカード１０−１の機能あたりの原価も低減できる。
【００７６】  なお、実際に本発明を実施をする際には１０−１Ａの作動を中止する以前に該デジタルカメラ１３などの表示パネル上に交換などを予め促す情報を表示をすることにはなるが、それは図７のフローチャートと
【００７４】までの第四の実施形態の記述での本発明の本質の構成要素ではない。
【００７７】  次に、本発明の第五の実施の形態に関わるデジタルカメラの記録媒体であるＩＣカードについて図２、図３、図５を用いて説明をする。この発明はデジタルカメラで撮影をする時に動画モードでの撮影とその撮影での一部のシーンは高解像度の静止画モードで撮影をして夫々の画像データを別々に記録しておくことが出来る機能を該ＩＣカード実現することを目的としてなせれたものである。
【００７８】  図２において３Ｃの中の一つはこのモードの設定キーである。図５で１０Ｇはクロック周波数変換回路他を含む第四、第五の実施の形態とは異なる回路ブロック、１０Ｈはこのモードのコマンドを予め記録してある不揮発性メモリブロックである。
【００７９】  次に、具体的な実施内容の説明をする。図２でキー３Ｃを押すとデジタルカメラは図３のシャッタ（ボタン）４の操作で前記、動画モードと高解像度の静止画を切り替えて撮影をする。たとえば、シャッタ（ボタン）４を押して動画で撮影を開始する。静止画をとりたいシーンだけはシャッタ（ボタン）４を２度連続で押す。シャッタ４を離して動画での撮影を終了する。上記、動画と静止画の画像データは上記１０Ｈに予め記録されたコマンドの手順にしたがって、１０Ｂに別々に記録をされる。
【００８０】  記録された夫々の画像データは、キー３、３Ｃ他を押して図２の表示パネル８に別々に表示ができる。また、これらの画像データを外部機器であるテレビ、プリンタで動画は再生させたり静止画はプリントをすることも出来る。。
【００８１】  次に、本発明の第六の実施の形態に関わるデジタルカメラについて図８を用いて説明をする。図８は背景技術の項で説明をしてきた個人認証に関する課題を解決する個人認識機能を有するデジタルカメラの斜視図である。図８において、１Ａはカメラユニット、２Ａはカメラユニット他を配備するためのパネル、３−１は個人認証用の暗証番号他を入力するキーもしくはボタン、５Ａは個人認証用に変換をしたカード型記録媒体を装着をするためのカードスロット、８Ａは表示用  に変換をしたカード型記録媒体を装着をするためのカードスロット、８Ａは表示パネル、８Ａ−１は１Ａで撮影をされた個人認証を受けるために１Ａで撮影をされた画像データを表示パネル８Ａに再生された画像、８Ａ−２は５Ａに装着された個人認証用のカード型記録媒体と照合をとるために入力されたテキストデータ（番号）を表示する欄、である。図示はしていないが個人認証用のカード型記録媒体内にはカードの保有者の少なくとも顔の画像データがテキストデータ（番号）と一緒に内臟されている。
【００８２】  このデジタルカメラによる個人認証の手順を次に説明をする。まず、５Ａに個人認証を受ける本人が所有する上記カード型記録媒体を５Ａに装着をする。該デジタルカメラに内臓されたマイクロプロセッサが該カード型記録媒体から上記画像データとテキストデータを読み出して該デジタルカメラに内臓された記録部の所定のアドレス先に夫々記録をする。
【００８３】  引き続き本人が該デジタルカメラの撮影ボタンを押すか該デジタルカメラの前に立つと該デジタルカメラが本人の少なくとも顔の部分を撮影をしてその画像データを上記該デジタルカメラに内臓された記録部において１０Ａで撮影された画像データを該カード型記録媒体から読み出されて記録されているアドレス先とは別のアドレス先に記録される。
【００８４】  次に、本人が本人が記憶をしている暗証番号を少なくとも含むテキストデータを３−１を用いて該デジタルカメラに入力をする。そのデータは上記該カード型記録媒体から読み出されて記録されているテキストデータとは別のアドレス先に記録される。
【００８５】  次に、該マイクロプロセッサが上記二つの画像データ並びにテキストデータを照合をする。夫々の照合が合致をすればそこにいる本人が該カード型記録媒体の所有者であることを該デジタルカメラが確認をする。
本実施形態をとることによって信頼性の高い個人認証を容易に且つ迅速に行うことが出来る。本実施形態において実際には上記撮影をした少なくとも顔の画像データを含むデータにおいて撮影をした時の顔のサイズを伸縮をしてその画像データを、上記該カード型記録媒体から読み出されて記録されている画像データに近づけた上で、二つの画像データの照合をとる操作が必要であるがこの操作は本発明を実施する際での本質的な要件ではない。
【００８７】    次に、本発明の第七の実施の形態に関わるデジタルカメラについて図１、図２、図３、図９、図１０を用いて説明をする。本発明は、デジタルカメラで撮影をした画像に相当する画像データを含むデータを通信アクセスポイントを介してインターネットで送信する時に、送り先のアドレス先に関わる情報およびもしくは前記データの仕様に関わる情報をインターネットを通じてデジタルカメラにダウンロードをしなくても特定の送信先に前記データを送信できるデジタルカメラを提供するものである。
図１において１０Ｘは１０とは異なるカード型半導体記録媒体（ＩＣカード）であり、図１、図３において５Ａは１０Ｘを着脱をするためのカードスロット、図３において１２はボタンであり、そのボタンを押すと表示パネル８Ｂにも後記するようなインターネット送信に関わる情報の一部を表示させることができる。
【００８８】  図９はダウンロードをする情報に相当する情報を記録しているカード型半導体記録媒体１０Ｘの回路ブロックの概略図である。図１０は１０Ｘを装着することで１０Ｘに記録をされていたインターネットのダウンロードに相当をするコンテンツを該デジタルカメラにインストールした結果を図２の表示パネル８に表示した一例である。
【００８９】  図９において、１０ＸＡ、１０ＸＢは夫々マイクロコントローラ、ＲＯＭ（読み出し専用メモリ）チップである。１０ＸＢには前記した、インターネットでダウンロードをするために該デジタルカメラを作動させるために必要な手順となるコマンドに相当するプログラムが記録されている。１０ＸＥは１０ＸＡチップに内臓されたＲＯＭ／ＲＡＭ回路ブロックである。
【００９０】  １０ＸＤ、１０ＸＦ、１０ＸＧ、１０ＸＨは夫々ＣＰＵ、ロジック１、ロジック２、不揮発性メモリ、の回路ブロックを表す。
１０ＸＦは後記するように該デジタルカメラにインターネットでダウンロードする際の信号処理に関わるロジック回路ブロック、１０ＸＧは該デジタルカメラで撮影した画像データを含むデータをインターネットで送信する際の信号処理に関わるロジック回路ブロックであり、１０ＸＦ、１０ＸＧは１０ＸＤと共に１０ＸＡのチップ内で前記した信号処理動作をする。
【００９１】  １０ＸＥ−１は前記したダウンロードに関わるソフトウエアに相当する該デジタルカメラの動作手順（コマンド情報）を記録をしているＲＯＭブロックであり、１０ＸＥ−２は該デジタルカメラで撮影した画像に相当をする画像データを含むデータをインターネットでの送信の際に関わる、該デジタルカメラの動作手順（コマンド情報）を記録しているＲＯＭ（読み出し専用メモリ）ブロック、である。１０ＸＥ−３は前記したダウンロードしたコンテンツに相当をする情報を記録している、ＲＯＭ（読み出し専用メモリ）ブロック、である。
１０ＸＪは前記したＲＯＭ（読み出し専用メモリ）チップ１０ＸＢから信号を読み出す回路ブロックである。１０ＸＥには前記した該デジタルカメラの動作において特に高速で動作をさせるために必要な動作手順（コマンド情報）も記録をされている。
【００９２】  以下に具体的な本実施形態について説明をする。まず、前記したインターネットでコンテンツをダウンロードをするために該デジタルカメラが動作するために必要な情報、並びにインターネットでダウンロードした時と同じコンテンツ、並びに該デジタルカメラで撮影をした画像に相当する画像データを含むデータを記録、表示、送信するために該デジタルカメラが動作するために必要な情報、が通例は該デジタルカメラの使用者とは別の業者によってパソコン他の電子機器を用いて、１０Ｘの１０ＸＢと１０ＸＥに記録をする。また、使用者がインターネットで送信をする際の特定のアドレス先のアドレスに関わる情報も同時に記録をする。
【００９３】  使用者が該デジタルカメラを購入をする際もしくは購入をした後でインターネットで前記したデータを送信をしたい前記アドレス先とは別のアドレス先（使用者本人のアドレスを含む）を該デジタルカメラ自体もしくはそのための特別な書き込み電子機器を用いて１０Ｘの１０ＸＨに書き込み、前記アドレスを登録をする。
【００９４】  使用者が該デジタルカメラで撮影をした画像に相当する画像データを含むデータをインターネット経由で送信をする時には１０Ｘを該デジタルカメラのカードスロット５Ａに装着をする。
使用者がキー３Ａ、３Ｂ、３Ｃを押して、表示パネル８に表示をされた前記特定のアドレス先のリストの中から選択をする。その結果、たとえば図１０に示すようなコンテンツの内容が８に表示される。
特定のアドレス先におけるコンテンツの表示の一部は図３の１２と８Ｂを用いても行うことができる。
【００９５】  使用者が図１０において本人のユーザＩＤ、パスワード、並びに自分が希望をする注文仕様を入力をして注文の箇所を指示すると、前記したデータがアドレスが登録をされているＤＰＥに送られる。ＤＰＥはその注文に応じて前記したデータをプリンタを用いてプリントをしてその受取りの連絡を使用者にｅ−ｍａｉｌもしくは電話によって連絡をする。このようにして使用者は１０Ｘを用いて１０Ｘで作動をするデジタルカメラで前記した該デジタルカメラで撮影をした画像に相当する画像データを含むデータをプリントした形で受け取ることが出来る。
【００９６】  この実施形態をとるとデジタルカメラで撮影をした画像に相当する画像データを含むデータを通信アクセスポイントを介してインターネットで送信する時に特定の送信先は特定の数に限られはするがキー３の操作は行わなくて済む。
【００９７】  本発明のように、カード型半導体記録媒体１０Ｘに前記したインターネットでダウンロードをする情報とそのコンテンツ並びに送信先のアドレスに関わる情報を記録をする実施形態をとれば、図３における表示パネル８Ｂの大きさを大きくさえすれば、ボタン１２を操作することでも送信先に関わる情報を簡単に選択することが出来るので、前記してきた結合部９を用いた構造のデジタルカメラではない、すなわち結合部がない通常の構造のデジタルカメラでも特定の送信先に限ればインターネットでカメラで撮影をした画像に相当する画像データを含むデータを送信できる。
【００９８】  本発明のように、カード型半導体記録媒体１０Ｘを用いる実施形態をとることによって、インターネットで送信に関わる情報（デジタルカメラで動作をさせる手順のコマンドとコンテンツ並びに特定のアドレス先に関わる情報）をインストールする方法を用いれば送信時以外においては該デジタルカメラで消費する消費電力を低減できてしかも該デジタルカメラを構成する電子部品の数が少なくて済むのでインターネットでデジタルカメラで撮影をした画像に相当する画像データを含むデータを通信アクセスポイントを介してインターネットで送信するデジタルカメラが経済的に実現できる。
【００９９】  本実施形態において、前記ソフトウエアを記録している容量が少ない時には、図９に示したカード型半導体記録媒体１０Ｘを構成する時においてＲＯＭを集積したチップ１０ＸＢは必ずしも必須ではない。すなわち、前記したコンテンツ、アドレス先に関わる情報はマイクロコントローラ１０ＸＡに集積をされた１０ＸＥに収納する
ことになる。更に、特定のアドレス先を変更したい時にはマイクロコントローラ１０ＸＡに集積をされた不揮発性メモリブロック１０ＸＥの記録内容を変更することで実現できる。
【０１００】  前記、図５における１０Ｇ、図９における１０ＸＧ，１０ＸＦの機能は夫々のマイクロコントローラのＣＰＵすなわち、１０Ｄ、１０ＸＤと夫々のメモリ記録ブロック部すなわち１０Ｅ、１０ＸＥの組み合わせでも実現が出来る。
【０１０１】  以上本発明の実施形態は通例のデジタルカメラを例として説明をしてきたが本発明の実施形態の中で第一、第二、第七の実施形態は動画を撮影をするビデオカメラに、第三、第四、第五、第七の実施形態はカメラ付き携帯電話にも適用が出来る。また、第六の実施形態ではデジタルカメラは据え置き型での説明をしたが、図１から図４で説明をした携帯型で個人認証をする応用にも適用される。
【図面の簡単な説明】
【０１０２】
【図１】本発明の第一の実施の形態に関わるデジタルカメラを縦長の状態で置いた斜視図である。
【図２】本発明の第一の実施の形態に関わるデジタルカメラで表示パネルの面とキーボードの面を開いた状態の斜視図である。
【図３】本発明の第一の実施の形態に関わるデジタルカメラでカメラユニットに光が入射する反対側（ファインダを覗く面）を前面とした状態の斜視図である。
【図４】本発明の第二の実施の形態に関わるデジタルカメラで被写体の画像を撮影をする状態の斜視図である。
【図５】本発明の第三、第四、第五の実施の形態に関わるカード型半導体記録媒体の構成を示す回路ブロック図である。
【図６】本発明の第三の実施の形態に関わるカード型半導体記録媒体をそれを使用する電子機器ならびにプリントに印刷をするＤＰＥ並びにそれらの電子機器で表示した表示画面並びにそれらの電子機器が無線でつながっている状態を示す図である。
【図７】本発明の第四の実施の形態に関わるカード型半導体記録媒体に画像データを書き直す手順を示すフローチャート図である。
【図８】本発明の第六の実施の形態に関わるデジタルカメラで個人認証をするために表示パネルに撮影をした画面と入力をした暗証番号を表示した状態の斜視図である。
【図９】本発明の第七の実施の形態に関わるカード型半導体記録媒体の構成を示す回路ブロック図である。
【図１０】本発明の第七の実施の形態においてデジタルカメラに表示されたインターネットアドレス先の情報を表示した例である。
【符号の説明】
【０１０３】Ａ：カメラユニット、２：第一のパネル、３、３Ｂ、３Ｃ、３−１：キーもしくはボタン、３Ａ；ジョグステック（キー）、４：シャッター、５、５Ａ：カードスロット、６：コネクタ用端子、７：第二のパネル、８、８Ａ：表示パネル、９：結合部、１０、１０−１、１０−１Ａ，１０−１Ｂ、１０−２：カード型記録媒体、１０Ｘ：カード型記録媒体、１１、１１Ａ：カメラユニットとファインダをつなぐ窓、１０Ａ、１０ＸＡ：マイクロコントローラ、１０Ｂ：不揮発性メモリ、１０Ｇ：制御回路ブロック、１０Ｈ：不揮発性メモリブロック、：マイクロコントローラ、１０ＸＢ：ＲＯＭチップ、１２：ボタン、１３：デジタルカメラ、１４：テレビ、１７：パソコン、１８：プリンタ、１９：ＤＰＥ，２１Ａ，２１Ｂ，２１Ｃ、２１Ｄ：電子機器で表示された画像、８Ａ−１：顔の画像、８Ａ−２：暗証番号などを表示する欄
【図１】
2005130418.tif 000003
【図２】
2005130418.tif 000004
【図３】
2005130418.tif 000005
【図４】
2005130418.tif 000006
【図５】
2005130418.tif 000007
【図６】
2005130418.tif 000008
【図７】
2005130418.tif 000009
【図８】
2005130418.tif 000010
【図９】
2005130418.tif 000011
【図１０】
2005130418.tif 000012